(57)【特許請求の範囲】
【請求項１】
プラントからの故障原因信号を受けて警報窓が点灯するプラント監視制御盤上の警報集合窓を撮影するＴＶカメラと、前記プラント監視制御盤上の警報集合窓と同じレイアウトの警報窓模擬表示画面を有する対話型入力手段と、前記ＴＶカメラから得られた警報窓画像の輝度差に基づいて警報データ項目を自動的に保存するとともに、前記対話型入力手段で発生警報の該当する座標を選択することにより警報データ項目を保存する発生警報保存手段と、プラントの運転状態および機器の点検状態のうち、少なくとも一方の状態により予め発生が予測可能な警報を予測警報データとして設定する記憶手段と、この予測警報データと前記発生警報保存手段により保存した発生警報データとの差を抽出するプラント状態比較手段とを備え、正常状態で発生する警報を判別し、異常項目を検出する構成にしたことを特徴とする発生警報データ収集装置。
【請求項２】
プラントからの故障原因信号を受けて警報窓が点灯するプラント監視制御盤上の警報集合窓を撮影するＴＶカメラと、このＴＶカメラから得られた警報窓画像の輝度差に基づいて警報データ項目を自動的に保存する発生警報保存手段と、プラント監視計算機から取り込んでいるプラントプロセスデータを入力するとともに、このプラントプロセスデータに基づいて発生する警報項目を予測する入力判定手段と、前記プラントプロセスデータに基づいて発生する警報項目、プラントの運転状態により予め発生が予測可能な警報および機器の点検状態により予め発生が予測可能な警報のうち、少なくとも一つの警報項目または警報を予測警報データとして設定する記憶手段と、この予測警報データと前記発生警報保存手段により保存した発生警報データとの差を抽出するプラント状態比較手段とを備え、正常状態で発生する警報を判別し、異常項目を検出する構成にしたことを特徴とする発生警報データ収集装置。
【請求項３】
対話型入力手段は、データ収集したプラント状態を指定することでデータベースとして保存した過去の同一プラント状態の警報データを再呼び出しし、判断支援することを特徴とする請求項１記載の発生警報データ収集装置。
【発明の詳細な説明】
【０００１】
【発明の属する技術分野】
本発明は、発電プラントなどのプラントから故障原因信号を受けて点灯または消灯するプラント監視制御盤上の警報窓から得られる警報データを収集し且つ処理する発生警報データ収集装置に関する。
【０００２】
【従来の技術】
従来、例えば原子力発電所においては、図４に示すように制御室１内に設置されたプラント監視制御盤２に機器の状態を示す警報集合窓３が設けられ、この警報集合窓３は故障などによりプラントの機器に異常が発生した場合、それに対応した警報窓４が点灯し、運転員に通知する仕組となっており、プラントや機器の状況を確認する上で重要な役割を果している。
【０００３】
従来、警報窓４の警報データは、発生した警報を運転員が確認し紙面上で人間系が記録し評価していた。このため、プラントがトリップした場合などは大量の警報が同時に発生し、警報データの記録作業が運転員の大きな負担となっている。また、プラントの出力上昇時などは、低出力で警報が発生していて定格出力になるとその警報が消滅する機器があるが、それらの警報の中で異常を示す警報が発生している場合もある。この異常を示す警報は早期に判断する必要があるにも拘らず、現在は人手に頼っていることから、迅速に判断するには多大な労力がかかっている。
【０００４】
【発明が解決しようとする課題】
ところで、発電プラントの記録すべき対象警報窓は１５００〜２０００項目にも及び、従来はプラント運転時、停止時の必要とすべきタイミングにおいて、これらの対象警報窓を全て運転員が確認の上、紙面上において記録していた。
【０００５】
したがって、大量の警報が同時に発生した場合には、運転員の負担が大きく、また発生警報データの誤った記録や誤判断を招く可能性もあつた。
【０００６】
本発明は上述した事情を考慮してなされたもので、大量の警報データを効率よく、容易に収集して処理することで運転員の負担を軽減し、発生警報データの誤った記録や誤判断を減少させることができる発生警報データ収集装置を提供することを目的とする。
【０００７】
【課題を解決するための手段】
上述した課題を解決するために、本発明の請求項１は、プラントからの故障原因信号を受けて警報窓が点灯するプラント監視制御盤上の警報集合窓を撮影するＴＶカメラと、前記プラント監視制御盤上の警報集合窓と同じレイアウトの警報窓模擬表示画面を有する対話型入力手段と、前記ＴＶカメラから得られた警報窓画像の輝度差に基づいて警報データ項目を自動的に保存するとともに、前記対話型入力手段で発生警報の該当する座標を選択することにより警報データ項目を保存する発生警報保存手段と、プラントの運転状態および機器の点検状態のうち、少なくとも一方の状態により予め発生が予測可能な警報を予測警報データとして設定する記憶手段と、この予測警報データと前記発生警報保存手段により保存した発生警報データとの差を抽出するプラント状態比較手段とを備え、正常状態で発生する警報を判別し、異常項目を検出する構成にしたことを特徴とする。
【０００８】
上述した課題を解決するために、本発明の請求項２は、プラントからの故障原因信号を受けて警報窓が点灯するプラント監視制御盤上の警報集合窓を撮影するＴＶカメラと、このＴＶカメラから得られた警報窓画像の輝度差に基づいて警報データ項目を自動的に保存する発生警報保存手段と、プラント監視計算機から取り込んでいるプラントプロセスデータを入力するとともに、このプラントプロセスデータに基づいて発生する警報項目を予測する入力判定手段と、前記プラントプロセスデータに基づいて発生する警報項目、プラントの運転状態により予め発生が予測可能な警報および機器の点検状態により予め発生が予測可能な警報のうち、少なくとも一つの警報項目または警報を予測警報データとして設定する記憶手段と、この予測警報データと前記発生警報保存手段により保存した発生警報データとの差を抽出するプラント状態比較手段とを備え、正常状態で発生する警報を判別し、異常項目を検出する構成にしたことを特徴とする。
【０００９】
請求項３は、請求項１記載の発生警報データ収集装置において、対話型入力手段は、データ収集したプラント状態を指定することでデータベースとして保存した過去の同一プラント状態の警報データを再呼び出しし、判断支援することを特徴とする。
【００１４】
【発明の実施の形態】
以下、本発明の実施形態を図面に基づいて説明する。
【００１５】
図１は本発明に係る発生警報データ収集装置の一実施形態を示すブロック図である。図１において、発電プラントの制御室５にはプラント監視制御盤６が設置されており、プラントの故障原因信号に対応して該当する警報集合窓７の中の警報窓８が点灯し、運転員に通知するようになっている。
【００１６】
本実施形態の発生警報データ収集装置９は、データ処理装置１０，記憶装置１１，ＣＲＴ表示装置１２，印字装置１３およびＴＶカメラ１４から大略構成される。データ処理装置１０は警報窓８の点灯または消灯状態の入力手段としてＴＶカメラ１４と対話型入力装置１５の２つを有するため、まず各々の入力手段について説明する。この入力手段は必要に応じ選択が行える。
【００１７】
第１の入力手段は、発電プラントの制御室５に設置されているプラント監視制御盤６の警報集合窓７をＴＶカメラ１４で撮影し、入力判定部１６で撮影画像の輝度差に基づいて数値化処理を行い、警報窓８の点灯または消灯状態を判別する。
【００１８】
図２は本実施形態において画像処理による発生警報データ収集処理を示す概略図であって、入力判定部１６の処理手順を示す。図２において、ＴＶカメラ１４により得られた入力画像（警報窓画像）１７は、Ａ／Ｄ変換装置１８で輝度差に基づいて数値化された後、２値化処理を行う。次いで、２値化処理データ１９の画像上の座標と記憶装置１１に予め設定された警報窓座標データ２０との比較を行い、警報窓点灯消灯状態２１を得る。
【００１９】
第２の手段は、発電プラントの制御室５に設置されているプラント監視制御盤６の警報集合窓７を模擬した表示画面を有する対話型入力手段としての対話型入力装置１５の画面上で点灯している警報窓８の座標を選択する。
【００２０】
図３は本実施形態において対話型入力装置による発生警報データ収集処理を示す概略図である。図３に示すように、対話型入力装置１５上に表示された警報窓パネル選択画面２２にて点灯している警報集合窓２３が属する警報窓パネル番号２４を選択すると、警報窓選択画面２５が表示され、この警報窓選択画面２５中の警報窓２６を順次選択することにより警報窓点消灯状態２７が得られる。なお、選択に際しては警報窓２６に対応する警報名称２８が検索され、補助情報として表示される。
【００２１】
第１，第２の入力手段で抽出した警報データ項目は、図１に示すように発生警報保存手段としての発生警報保存部２９において記憶装置１１に設定された警報窓名称の中から対応する警報データ項目を抽出の上、データ収集日時を付加して記憶装置１１に保存される。
【００２２】
一方、発電プラントに既設のプラント監視計算機３０に取り込まれているプラントプロセスデータは、伝送線３１を通してデータ処理装置１０の入力判定手段としての入力判定部３２に取り込まれる。この入力判定部３２では上記プラントプロセスデータに基づいて発生する警報項目を予測し、これを予測状態データとして記憶装置１１に設定する。
【００２３】
また、プラントプロセスデータ，プラントの運転状態，機器の点検で予め発生が予測される警報データ項目は記憶装置１１に設定されており、この予測警報データと前述の発生警報保存部２９で保存された発生警報データとをプラント状態比較手段としてのプラント状態比較部３３で比較を行い、相違のある警報データ項目のみを再度抽出して保存する。
【００２４】
これらの警報データは伝送線３４を通して外部受信装置３５に送信される。なお、ＣＲＴ表示装置１２はデータ処理装置１０の処理過程で必要に応じ情報を表示し、同様に印字装置１３はデータ処理装置１０の処理過程で必要に応じ情報を印字する。
【００２５】
また、対話型入力装置１５は、前述のようなデータの入力手段に用いる他、データ収集タイミングを指定することで、保存されている警報データ項目の再呼び出しを行うものである。つまり、対話型入力装置１５はデータ収集したプラント状態を指定することで、記憶装置１１にデータベースとして保存した過去の同一プラント状態の警報データを再呼び出しし、判断支援するものである。
【００２６】
次に、上記実施形態の作用を説明する。
【００２７】
上記のような発生警報データ収集装置９にあっては、発生した警報データの保存をＴＶカメラ１４，入力判定部１６および発生警報保存部２９により自動で容易に行える一方、対話型入力装置１５および発生警報保存部２９により手動においても容易に行うことができる。これにより、運転員の負担を軽減し、警報データの誤った記録や誤判断を減少させ、警報データを効率よく収集して保存することができる。
【００２８】
また、プラント監視計算機３０が取り込んでいるプラントプロセスデータを伝送線３１を通して入力判定部３２に入力し、このプラントプロセスデータに基づいて発生する警報項目を入力判定部３２により予測し、この警報項目を予測状態データとして記憶装置１１で設定し、この予測警報データと発生警報保存部２９により保存した発生警報データとの差をプラント状態比較部３３で抽出することにより、異常項目の検出を支援することができる。
【００２９】
さらに、データ収集時のプラントの運転状態，機器の点検状態により予め発生が予測可能な警報を予測状態データとして記憶装置１１で設定し、この予測警報データと発生警報保存部２９により保存した発生警報データとの差をプラント状態比較部３３により抽出することにより、異常項目の検出を支援し、正常状態で発生する警報を自動判別することができる。
【００３０】
さらにまた、対話型入力装置１５によりデータ収集タイミングを指定することで、過去の発生警報データの再呼び出しが可能となるため、時系列上での発生警報の経過を知ることができ、過去のデータとの比較が容易になり、運転員の負担を軽減した判断支援を行うことができる。
【００３１】
そして、外部受信装置３５を配置し、プラント外部へデータを出力することにより、制御室以外の場所でプラントの状態を確認することができる。
【００３２】
【発明の効果】
以上説明したように、本発明の請求項１によれば、プラントからの故障原因信号を受けて警報窓が点灯するプラント監視制御盤上の警報集合窓を撮影するＴＶカメラと、前記プラント監視制御盤上の警報集合窓と同じレイアウトの警報窓模擬表示画面を有する対話型入力手段と、前記ＴＶカメラから得られた警報窓画像の輝度差に基づいて警報データ項目を自動的に保存するとともに、前記対話型入力手段で発生警報の該当する座標を選択することにより警報データ項目を保存する発生警報保存手段と、プラントの運転状態および機器の点検状態のうち、少なくとも一方の状態により予め発生が予測可能な警報を予測警報データとして設定する記憶手段と、この予測警報データと前記発生警報保存手段により保存した発生警報データとの差を抽出するプラント状態比較手段とを備え、正常状態で発生する警報を判別し、異常項目を検出する構成にしたことにより、大量の警報がほぼ同時に発生するような状況下においても、的確にデータを収集して保存することができ、プラント設備を変更する必要もなくなる。したがって、運転員の負担を軽減し、警報データの誤った記録や誤判断を減少させ、警報データを効率よく収集して保存することができる。
【００３３】
請求項２によれば、プラントからの故障原因信号を受けて警報窓が点灯するプラント監視制御盤上の警報集合窓を撮影するＴＶカメラと、このＴＶカメラから得られた警報窓画像の輝度差に基づいて警報データ項目を自動的に保存する発生警報保存手段と、プラント監視計算機から取り込んでいるプラントプロセスデータを入力するとともに、このプラントプロセスデータに基づいて発生する警報項目を予測する入力判定手段と、前記プラントプロセスデータに基づいて発生する警報項目、プラントの運転状態により予め発生が予測可能な警報および機器の点検状態により予め発生が予測可能な警報のうち、少なくとも一つの警報項目または警報を予測警報データとして設定する記憶手段と、この予測警報データと前記発生警報保存手段により保存した発生警報データとの差を抽出するプラント状態比較手段とを備え、正常状態で発生する警報を判別し、異常項目を検出する構成にしたので、請求項１の効果に加え、異常項目の検出を支援することができる。
【００３４】
請求項３によれば、請求項１記載の対話型入力手段は、データ収集したプラント状態を指定することでデータベースとして保存した過去の同一プラント状態の警報データを再呼び出しし、判断支援することにより、請求項１の効果に加え、時系列上での発生警報の経過を知ることができ、過去のデータとの比較が容易になり、運転員の負担を軽減した判断支援を行うことができる。
【図面の簡単な説明】
【図１】本発明に係る発生警報データ収集装置の一実施形態を示す全体構成のブロック図。
【図２】図１の実施形態において画像処理による発生警報データ収集処理の一例を示す概略図。
【図３】図１の実施形態において対話型入力装置による発生警報データ収集処理の一例を示す概略図。
【図４】一般の原子力発電プラントにおけるプラント監視制御盤を示す概略図。
【符号の説明】
１  制御室
２  プラント監視制御盤
３  警報集合窓
４  警報窓
５  制御室
６  プラント監視制御盤
７  警報集合窓
８  警報窓
９  発生警報データ収集装置
１０  データ処理装置
１１  記憶装置（記憶手段）
１２  ＣＲＴ表示装置
１３  印字装置
１４  ＴＶカメラ
１５  対話型入力装置（対話型入力手段）
１６  入力判定部
１７  入力画像
１８  Ａ／Ｄ変換装置
１９  ２値化処理データ
２０  警報窓座標データ
２１  警報窓点灯消灯状態
２２  警報窓パネル選択画面
２３  警報集合窓
２４  警報窓パネル番号
２５  警報窓選択画面
２６  警報窓
２７  警報窓点灯消灯状態
２８  警報名称
２９  発生警報保存部（発生警報保存手段）
３０  プラント監視計算機
３１  伝送線
３２  入力判定部（入力判定手段）
３３  プラント状態比較部（プラント状態比較手段）
３４  伝送線
３５  外部受信装置
【図１】
0003556368.tif 000002
【図２】
0003556368.tif 000003
【図３】
0003556368.tif 000004
【図４】
0003556368.tif 000005